(57)【要約】【課題】形状の簡素化を図る。【解決手段】コネクタは、第１のハウジング１１と第２のハウジング１２を備えて構成されるコネクタ構成体１０と、コネクタ構成体１０に設けられ、そのコネクタ構成体１０を別のコネクタ構成体１０（他部材）との連結状態に保つための第１連結用嵌合部１７Ｆ及び第２連結用嵌合部１７Ｒと、コネクタ構成体１０から導出される電線１６と、コネクタ構成体１０に組み付けられることで、電線１６を収容して転向させる電線カバー３０と、電線カバー３０に設けられ、連結用嵌合部１７Ｆ，１７Ｒと嵌合することで電線カバー３０とコネクタ構成体１０とを組付け状態に保持する第１組付用嵌合部４０Ｆ及び第２組付用嵌合部４０Ｒとを備えている。【選択図】図５
2013069593.tif 000002
【特許請求の範囲】
【請求項１】
少なくとも１つのハウジングを備えて構成されるコネクタ構成体と、
前記コネクタ構成体に設けられ、そのコネクタ構成体を他部材との連結状態に保つための連結用嵌合部と、
前記コネクタ構成体から導出される電線と、
前記コネクタ構成体に組み付けられることで、前記電線を収容して転向させる電線カバーと、
前記電線カバーに設けられ、前記連結用嵌合部と嵌合することで前記電線カバーと前記コネクタ構成体とを組付け状態に保持する組付用嵌合部とを備えていることを特徴とするコネクタ。
【請求項２】
前記コネクタ構成体は、嵌合方向が互いに逆向きとされている第１と第２の２つの前記連結用嵌合部を有し、前記第１連結用嵌合部を別の前記コネクタ構成体の前記第２連結用嵌合部に嵌合させることで、前記別のコネクタ構成体に連結されるようになっており、
前記電線カバーを構成し、前記電線を収容して転向させるための収容空間と、前記第１連結用嵌合部と嵌合可能な前記組付用嵌合部とが設けられたカバー本体と、
前記カバー本体に組み付けられることで前記電線カバーを構成し、前記第２連結用嵌合部と嵌合可能な前記組付用嵌合部が設けられた補助部材とを備えていることを特徴とする請求項１記載のコネクタ。
【請求項３】
前記コネクタ構成体が、フード部を有する第１の前記ハウジングと、前記フード部の内部に嵌合される第２の前記ハウジングとを備えて構成され、
前記電線カバーは、前記第２のハウジングの背面から導出された前記電線を転向させるように配され、
前記連結用嵌合部が、前記フード部の外面に配置されていることを特徴とする請求項１又は請求項２記載のコネクタ。
【発明の詳細な説明】
【技術分野】
【０００１】
本発明は、コネクタに関するものである。
【背景技術】
【０００２】
特許文献１には、端子金具が取り付けられたハウジングと、端子金具に接続されてハウジングから導出された電線を転向させて配索する電線カバーとを組み付けて構成されるコネクタが開示されている。また、特許文献２には、複数のハウジングを積層状態に連結した形態のコネクタが開示されている。
【先行技術文献】
【特許文献】
【０００３】
【特許文献１】特開２０１０−２２５３２０号公報
【特許文献２】特開２００２−１３４１９９号公報
【発明の概要】
【発明が解決しようとする課題】
【０００４】
特許文献２に記載されているコネクタを構成するハウジングは、他のハウジングとは連結せずに単独で使用することも可能である。そして、このように単独で使用されるハウジングに対し、特許文献１に記載されているような電線カバーを取り付けることも可能である。この場合、ハウジングには、ハウジング同士を連結するための連結用嵌合部を残したままで、ハウジングと電線カバーとを組み付けるための組付用嵌合部を、新たに設ける必要がある。そのため、ハウジングの形状が複雑になる。
本発明は上記のような事情に基づいて完成されたものであって、形状の簡素化を図ることを目的とする。
【課題を解決するための手段】
【０００５】
上記の目的を達成するための手段として、請求項１の発明は、少なくとも１つのハウジングを備えて構成されるコネクタ構成体と、前記コネクタ構成体に設けられ、そのコネクタ構成体を他部材との連結状態に保つための連結用嵌合部と、前記コネクタ構成体から導出される電線と、前記コネクタ構成体に組み付けられることで、前記電線を収容して転向させる電線カバーと、前記電線カバーに設けられ、前記連結用嵌合部と嵌合することで前記電線カバーと前記コネクタ構成体とを組付け状態に保持する組付用嵌合部を備えているところに特徴を有する。
【０００６】
請求項２の発明は、請求項１に記載のものにおいて、前記コネクタ構成体は、嵌合方向が互いに逆向きとされている第１と第２の２つの前記連結用嵌合部を有し、前記第１連結用嵌合部を別の前記コネクタ構成体の前記第２連結用嵌合部に嵌合させることで、前記別のコネクタ構成体に連結されるようになっており、前記電線カバーを構成し、前記電線を収容して転向させるための収容空間と、前記第１連結用嵌合部と嵌合可能な前記組付用嵌合部とが設けられたカバー本体と、前記カバー本体に組み付けられることで前記電線カバーを構成し、前記第２連結用嵌合部と嵌合可能な前記組付用嵌合部が設けられた補助部材とを備えているところに特徴を有する。
【０００７】
請求項３の発明は、請求項１または請求項２に記載のものにおいて、前記コネクタ構成体が、フード部を有する第１の前記ハウジングと、前記フード部の内部に嵌合される第２の前記ハウジングとを備えて構成され、前記電線カバーは、前記第２のハウジングの背面から導出された前記電線を転向させるように配され、前記連結用嵌合部が、前記フード部の外面に配置されているところに特徴を有する。
【発明の効果】
【０００８】
＜請求項１の発明＞
コネクタ構成体を他部材と連結しない状態では、連結用嵌合部が、組付用嵌合部との嵌合により、電線カバーをコネクタ構成体に組み付けるための組付け手段としての機能を発揮する。連結用嵌合部は、コネクタ構成体と他部材を連結する連結機能と、コネクタ構成体と電線カバーを組み付ける組付け機能との２つの機能を兼ね備えているので、連結機能の専用手段と組付け機能の専用手段を別々に設ける場合に比べると、コネクタ構成体の形状を簡素化することができる。
【０００９】
＜請求項２の発明＞
互いに嵌合方向が逆向きとされた第１連結用嵌合部と第２連結用嵌合部とにより、複数のコネクタ構成体を並列状態で連結することができる。コネクタ構成体を単独で使用する場合、電線カバーを第１連結用嵌合部と第２連結用嵌合部の２箇所で確実に組み付けることができる。ここで、第１連結用嵌合部と第２連結用嵌合部は嵌合方向が逆向きなのであるが、電線カバーは、組付用嵌合部を備えるカバー本体と同じく組付用嵌合部を備える補助部材との２部品で構成しているので、２つの連結用嵌合部の嵌合方向が逆向きであっても、この２つの連結用嵌合部に組付用嵌合部を嵌合させて、コネクタ構成体に組み付けることが可能となっている。
【００１０】
＜請求項３の発明＞
電線が導出される第２のハウジングはフード部内に収容されるため、この第２のハウジングに連結用嵌合部を設けようとすると、第２のハウジングを大型化してフード部から突出する部分を形成し、その突出部分に連結用嵌合部を配置することになる。その点、本発明は、第２のハウジングを収容するフード部に、連結用嵌合部を配置しているので、第２のハウジングの大型化を回避することができる。
【図面の簡単な説明】
【００１１】
【図１】実施形態１のコネクタの側面図
【図２】コネクタの底面図
【図３】図１のＡ−Ａ線断面図
【図４】図１のＢ−Ｂ線断面図
【図５】図２のＣ−Ｃ線断面図
【図６】コネクタ構成体の側面図
【図７】コネクタ構成体の平面図
【図８】コネクタ構成体の底面図
【図９】コネクタ構成体の背面図
【図１０】電線カバーを構成するカバー本体と補助部材を離脱した状態をあらわす側面図
【図１１】電線カバーの底面図
【図１２】電線カバーを構成するカバー本体と補助部材を離脱した状態をあらわす断面図
【図１３】電線カバーを構成するカバー本体の底面図
【図１４】電線カバーを構成するカバー本体の背面図
【図１５】電線カバーを構成する補助部材の平面図
【図１６】電線カバーを構成する補助部材の正面図
【発明を実施するための形態】
【００１２】
＜実施形態１＞
以下、本発明を具体化した実施形態１を図１〜図１６を参照して説明する。本実施形態のコネクタは、図１に示すように、コネクタ構成体１０と電線カバー３０とを備えて構成されている。図５，６，９に示すように、コネクタ構成体１０は、第１のハウジング１１と第２のハウジング１２を上下に嵌合して構成され、電線カバー３０は、第２のハウジング１２の背面側を覆うように組み付けられている。尚、以下の説明において、上下の方向は、図１に表れる向きを基準とする。また、前後の方向については、図１の左方を前方とし、図１の右方を後方とする。
【００１３】
図５に示すように、第１のハウジング１１は、内部に端子収容室１３が形成された端子保持部１４と、端子保持部１４の上端外周縁から上方へ角筒状に突出するフード部１５とを一体に形成して構成されている。端子収容室１３内には、下方（第１のハウジング１１の背面側）から周知形態の雄形端子金具（図示省略）が挿入されている。そして、各雄端子金具に接続された電線（図示省略）は、第１ハウジングの背面（下面）から外部へ導出されている。
【００１４】
第２のハウジング１２は、第１のハウジング１１に対し上方から嵌合され、フード部１５内に収容されている。図５，７に示すように、第２のハウジング１２内にも端子収容室１３が形成され、この端子収容室１３内には、周知形態の雌端子金具（図示省略）が収容されている。図５に示すように、各雌端子金具に接続された電線１６は、第２のハウジング１２の背面（上面）から上方へ導出されている。
【００１５】
図６〜８に示すように、フード部１５を構成する前面壁の外面（前面）には、第１連結用嵌合部１７Ｆが形成され、フード部１５を構成する後面壁の外面（後面）には、第２連結用嵌合部１７Ｒが形成されている。この第１連結用嵌合部１７Ｆと第２連結用嵌合部１７Ｒは、コネクタ構成体１０に対し他部材を連結するための連結手段としての機能を有する。ここで、他部材とは、コネクタ構成体１０である。つまり、両連結用嵌合部１７Ｆ，１７Ｒにより、同一形態の複数のコネクタ構成体１０が前後に並列状に連結されるようになっている。
【００１６】
図７，８に示すように、第１連結用嵌合部１７Ｆは、上下方向に延びる左右一対の第１リブ１８Ｆと、左右両第１リブ１８Ｆの上端部同士を連結するように形成された第１係止部１９Ｆとを備えて構成されている。第１連結用嵌合部１７Ｆには、第１リブ１８Ｆの下端部から後方（第１リブ１８Ｆの長さ方向と交差する方向）へ突出する第１嵌合規制部２０Ｆが形成されているので、第１連結用嵌合部１７Ｆの嵌合相手（第２連結用嵌合部１７Ｒ、及び後述する第１組付用嵌合部４０Ｆ）に対する嵌合方向は、上向きである。
【００１７】
図７〜９に示すように、第２連結用嵌合部１７Ｒは、上下方向に延びる左右一対の第２溝１８Ｒと、左右両第２溝１８Ｒの間の位置に形成された第２抜止め突起１９Ｒとを備えて構成されている。第２連結用嵌合部１７Ｒには、第２溝１８Ｒの上端部を閉塞する形態であって第２抜止め突起１９Ｒの少し上方の位置に形成された第２ストッパ２０Ｒが形成されているので、第２連結用嵌合部１７Ｒの嵌合相手（第１連結用嵌合部１７Ｆ、及び後述する第２組付用嵌合部４０Ｒ）に対する嵌合方向は、下向きである。つまり、第１連結用嵌合部１７Ｆと第２連結用嵌合部１７Ｒの嵌合方向は、上下方向において互いに逆向きとなっている。
【００１８】
２つのコネクタ構成体１０を前後に並ぶように連結する際には、前側のコネクタ構成体１０の第２溝１８Ｒに、後側のコネクタ構成体１０の第１リブ１８Ｆを下から嵌合し、前側のコネクタ構成体１０に対し後側のコネクタ構成体１０を相対的に上方へ変位（スライド）させる。そして、両コネクタ構成体１０が正規の連結状態になると、第１係止部１９Ｆに対し、第２ストッパ２０Ｒと第２抜止め突起１９Ｒが上下に挟むように係止する。この係止作用により、両コネクタ構成体１０は、上下方向への相対変位を規制された連結状態に保持される。また、第１リブ１８Ｆと第２溝１８Ｒとの嵌合により、両コネクタ構成体１０の前後方向及び左右方向の相対変位も規制される。
【００１９】
また、コネクタ構成体１０は、単独で使用することができる。この場合、図１，５に示すように、コネクタ構成体１０には、第２のハウジング１２の背面から上方へ導出された電線１６を後方へ転向させるための電線カバー３０を組み付けることができる。そして、この電線カバー３０の組付けに際しては、コネクタ構成体１０同士を連結するための第１連結用嵌合部１７Ｆと第２連結用嵌合部１７Ｒが、電線カバー３０の組付け手段としての機能を発揮する。
【００２０】
図１，５，１０〜１２に示すように、電線カバー３０は、カバー本体３１と、補助部材３２とを組み付けて構成されている。カバー本体３１は、第２のハウジング１２の背面を覆う形態の箱状部３３を有する。図５，１２に示すように、箱状部３３は、下方及び後方へ開放されており、箱状部３３の内部は、第２のハウジング１２から導出された電線１６を収容して後方へ転向させるための収容空間３４となっている。カバー本体３１には、箱状部３３の上板部を後方へ延長させた形態の板状保持部３５が形成されている。この板状保持部３５には、電線カバー３０内で後方へ転向させられた電線１６の束が、テープ（図示省略）の巻き付けによって固定されるようになっている。図１，４，１０に示すように、カバー本体３１には、箱状部３３の左右両側板部における後端部から下方へ延出する左右一対の弾性ロック片３６が形成されている。図１１〜１４に示すように、カバー本体３１には、左右両側板部の内面後端部に連なって下方へ片持ち状に延出する左右一位の位置決め突起３７が形成されている。
【００２１】
図１〜３，１０〜１４に示すように、カバー本体３１には、箱状部３３の前板部から下方へ面一状に延出する板状嵌合部３８が形成されている。図３，１１〜１４に示すように、板状嵌合部３８の内面（後面）には、電線カバー３０（カバー本体３１）をコネクタ構成体１０に組み付けるための第１組付用嵌合部４０Ｆが形成されている。この第１組付用嵌合部４０Ｆは、上下方向に延びる左右一対の第１溝４１Ｆと、左右両第１溝４１Ｆの間の位置に形成された第１抜止め突起４２Ｆとを備えて構成されている。第１組付用嵌合部４０Ｆには、第１溝４１Ｆの上端部を閉塞する形態であって第１抜止め突起４２Ｆよりも少し上方の位置に形成された第１ストッパ４３Ｆが形成されているので、第１連結用嵌合部１７Ｆの嵌合相手（第１連結用嵌合部１７Ｆ）に対する嵌合方向は、下向き（即ち、上下方向において、コネクタ構成体１０に対するカバー本体３１の組付け方向と、同じ向き）である。つまり、この第１組付用嵌合部４０Ｆは、コネクタ構成体１０の第２連結用嵌合部１７Ｒと同じ形態となっている。
【００２２】
補助部材３２は、カバー本体３１に対し下方から組み付けられるようになっている。このカバー本体３１に対する補助部材３２の組付け方向は、コネクタ構成体１０に対するカバー本体３１の組付け方向とは、上下逆向きである。図１５に示すように、補助部材３２には、その上面を凹ませた形態の左右一対の位置決め孔４４が形成されている。補助部材３２をカバー本体３１に組み付けるときには、図５，１２に示すように、位置決め孔４４に位置決め突起３７を嵌合させることにより、補助部材３２が、カバー本体３１に対して上下、前後及び左右の全ての方向において位置決めされるようになっている。図４，１５，１６に示すように、補助部材３２の左右両外側面には、左右一対のロック突起４５が形成されている。補助部材３２がカバー本体３１に正規に組み付けられると、ロック突起４５と弾性ロック片３６が係止することにより、補助部材３２とカバー本体３１が組付け状態にロックされるようになっている。
【００２３】
図１０，１２，１５，１６に示すように、補助部材３２の前面には、電線カバー３０（補助部材３２）をコネクタ構成体１０に組み付けるための第２組付用嵌合部４０Ｒが形成されている。第２組付用嵌合部４０Ｒは、上下方向に延びる左右一対の第２リブ４１Ｒと、左右両第２リブ４１Ｒの上端部同士を連結するように形成された第２係止部４２Ｒとを備えて構成されている。第２組付用嵌合部４０Ｒには、第２リブ４１Ｒの下端部から後方（第２リブ４１Ｒの長さ方向と交差する方向）へ突出する第２嵌合規制部４３Ｒが形成されているので、第２組付用嵌合部４０Ｒの嵌合相手（第１連結用嵌合部１７Ｆ）に対する嵌合方向は、上向き（即ち、上下方向において、コネクタ構成体１０に対する補助部材３２の組付け方向と同じ向きであり、且つ第１組付用嵌合部４０Ｆの嵌合方向とは逆向き）である。つまり、この第２組付用嵌合部４０Ｒは、コネクタ構成体１０の第１連結用嵌合部１７Ｆと同じ形態となっている。
【００２４】
電線カバー３０をコネクタ構成体１０に組み付ける際には、カバー本体３１と補助部材３２とを分離しておき、先に、カバー本体３１をコネクタ構成体１０に組み付ける。組み付ける際には、カバー本体３１（第１組付用嵌合部４０Ｆ）の第１溝４１Ｆの下端部を、コネクタ構成体１０（第１連結用嵌合部１７Ｆ）の第１リブ１８Ｆの上端部に嵌合し、カバー本体３１をコネクタ構成体１０に対して相対的に下方へ変位（スライド）させる。そして、カバー本体３１が正規の組付位置に到達すると、コネクタ構成体１０の第１係止部１９Ｆに対し、カバー本体３１の第１抜止め突起４２Ｆが下から当接するとともに、箱状部３３の下端がコネクタ構成体１０（第２のハウジング１２）の上面に当接する。この当接作用により、カバー本体３１とコネクタ構成体１０は、上下方向への相対変位を規制された組付け状態に保持される。また、第１リブ１８Ｆと第１溝４１Ｆとの嵌合により、コネクタ構成体１０に対するカバー本体３１の前後方向及び左右方向の相対変位も規制される。
【００２５】
カバー本体３１をコネクタ構成体１０に組み付けた後、コネクタ構成体１０に補助部材３２を組み付けるとともに、補助部材３２とカバー本体３１とを合体して電線カバー３０を構成する。補助部材３２を組み付ける際には、位置決め孔４４に位置決め突起３７の下端部を嵌入するととも、補助部材３２（第２組付用嵌合部４０Ｒ）の第２リブ４１Ｒの上端部を、コネクタ構成体１０（第２連結用嵌合部１７Ｒ）の第２溝１８Ｒの下端部に嵌合し、補助部材３２をコネクタ構成体１０に対して相対的に上方へ変位（スライド）させる。
【００２６】
そして、補助部材３２が正規の組付位置に到達すると、補助部材３２の第２係止部４２Ｒに対し、コネクタ構成体１０の第２ストッパ２０Ｒと第２抜止め突起１９Ｒが上下に挟むように係止する。この係止作用により、補助部材３２とコネクタ構成体１０は、上下方向への相対変位を規制された組付け状態に保持される。また、第２リブ４１Ｒと第２溝１８Ｒとの嵌合により、コネクタ構成体１０に対する補助部材３２の前後方向及び左右方向の相対変位も規制される。また、ロック突起４５と弾性ロック片３６との係止により、補助部材３２がカバー本体３１に対して組付け状態（下方への離脱を規制された状態）にロックされる。以上により、カバー本体３１と補助部材３２とが合体して電線カバー３０が構成されるとともに、コネクタ構成体１０に対して電線カバー３０が組付け状態に保持される。なお、組付けの手順としては、補助部材３２を先にコネクタ構成体１０に組み付け、その後に、カバー本体３１をコネクタ構成体１０に組み付けてもよい。
【００２７】
上述のように、本実施形態のコネクタは、第１と第２の２つのハウジング１１，１２を備えて構成されるコネクタ構成体１０と、コネクタ構成体１０に設けられ、そのコネクタ構成体１０を他部材（別のコネクタ構成体１０）との連結状態に保つための連結用嵌合部１７Ｆ，１７Ｒと、コネクタ構成体１０から導出される電線１６と、コネクタ構成体１０に組み付けられることで電線１６を収容して転向させる電線カバー３０と、電線カバー３０に設けられ、連結用嵌合部１７Ｆ，１７Ｒと嵌合することで電線カバー３０とコネクタ構成体１０とを組付け状態に保持する組付用嵌合部４０Ｆ，４０Ｒとを備えている。
【００２８】
この構成によれば、コネクタ構成体１０を他部材（別のコネクタ構成体１０）と連結しない状態では、連結用嵌合部１７Ｆ，１７Ｒが、組付用嵌合部４０Ｆ，４０Ｒとの嵌合により、電線カバー３０をコネクタ構成体１０に組み付けるための組付け手段としての機能を発揮する。連結用嵌合部１７Ｆ，１７Ｒは、コネクタ構成体１０と他部材（別のコネクタ構成体１０）を連結する連結機能と、コネクタ構成体１０と電線カバー３０を組み付ける組付け機能との２つの機能を兼ね備えているので、連結機能の専用手段と組付け機能の専用手段を別々に設ける場合に比べると、コネクタ構成体１０の形状を簡素化することができる。
【００２９】
また、コネクタ構成体１０は、嵌合方向が互いに逆向きとされている第１と第２の２つの連結用嵌合部１７Ｆ，１７Ｒを有し、第１連結用嵌合部１７Ｆを別のコネクタ構成体１０の第２連結用嵌合部１７Ｒに嵌合させることで、別のコネクタ構成体１０に連結されるようになっている。そして、電線カバー３０を構成するカバー本体３１には、電線１６を収容して転向させるための収容空間３４と、第１連結用嵌合部１７Ｆと嵌合可能な第１組付用嵌合部４０Ｆとが設けられ、カバー本体３１に組み付けられることで電線カバー３０を構成する補助部材３２には、、第２連結用嵌合部１７Ｒと嵌合可能な第２組付用嵌合部４０Ｒが設けられている。
【００３０】
この構成によれば、互いに嵌合方向が逆向きとされた第１連結用嵌合部１７Ｆと第２連結用嵌合部１７Ｒとにより、複数のコネクタ構成体１０を並列状態で連結することができる。また、コネクタ構成体１０を単独で使用する場合、電線カバー３０を第１連結用嵌合部１７Ｆと第２連結用嵌合部１７Ｒの２箇所で確実に組み付けることができる。ここで、第１連結用嵌合部１７Ｆと第２連結用嵌合部１７Ｒは嵌合方向が逆向きなのであるが、電線カバー３０は、第１連結用嵌合部１７Ｆと嵌合可能な第１組付用嵌合部４０Ｆを備えるカバー本体３１と、第２連結用嵌合部１７Ｒと嵌合可能な第２組付用嵌合部４０Ｒを備える補助部材３２との２部品で構成している。したがって、２つの連結用嵌合部１７Ｆ，１７Ｒの嵌合方向が逆向きであっても、この２つの連結用嵌合部１７Ｆ，１７Ｒに組付用嵌合部４０Ｆ，４０Ｒを嵌合させて、コネクタ構成体１０に電線カバー３０を組み付けることが可能となっている。
【００３１】
また、コネクタ構成体１０は、フード部１５を有する第１のハウジング１１と、フード部１５の内部に嵌合される第２のハウジング１２とを備えて構成され、電線カバー３０は、第２のハウジング１２の背面から導出された電線１６を転向させるように配されている。ここで、電線１６が導出される第２のハウジング１２はフード部１５内に収容されるため、この第２のハウジング１２に連結用嵌合部を設けようとすると、第２のハウジング１２を大型化してフード部１５から突出する部分を形成し、その突出部分に連結用嵌合部を配置することになる。その点、本実施形態では、第２のハウジング１２を収容するフード部１５に、連結用嵌合部１７Ｆ，１７Ｒを配置しているので、第２のハウジング１２の大型化を回避することができる。
【００３２】
＜他の実施形態＞
本発明は上記記述及び図面によって説明した実施形態に限定されるものではなく、例えば次のような実施形態も本発明の技術的範囲に含まれる。
（１）上記実施形態では、電線カバーを、カバー本体と補助部材との２部材によって構成したが、電線カバーは、単一部品からなるものであってもよく、３つ以上の部材を組み付けて構成されるものであってもよい。
（２）上記実施形態では、第２のハウジング用の電線カバーの組付用嵌合部を、第１のハウジングの連結用嵌合部のみに嵌合させたが、第２のハウジング用の電線カバーの組付用嵌合部は、第２のハウジングに形成した連結用嵌合部のみに嵌合してもよく、第１のハウジングの連結用嵌合部と第２のハウジングに形成した連結用嵌合部の両方に嵌合してもよい。
（３）上記実施形態では、電線カバーが、フード部内に嵌合される第２のハウジングから導出される電線を転向させる場合について説明したが、本発明は、電線カバーが、フード部を有する第１のハウジングから導出される電線を転向させる場合にも適用できる。この場合、電線カバーの組付用嵌合部は、第１のハウジングに形成した連結用嵌合部に嵌合させてもよく、第２のハウジングに形成した連結用嵌合部に嵌合させてもよく、第１のハウジングに形成した連結用嵌合部と第２のハウジングに形成した連結用嵌合部の両方に嵌合させてもよい。
（４）上記実施形態では、第１のハウジングに形成されている第１と第２の２つの連結用嵌合部は、嵌合方向が互いに逆向きとなっているが、２つの連結用嵌合部は、嵌合方向が互いに同じ向きであってもよい。
（５）上記実施形態では、連結用嵌合部を介してコネクタ構成体に連結される他部材を、同形態のコネクタ構成体としたが、本発明は、他部材がコネクタ構成体以外の部材（例えば、一括ゴム栓を取り付け状態に保持するゴム栓ホルダや、ハウジングの前面壁を構成するフロントマスクや、車体等）である場合にも適用できる。
（６）上記実施形態では、コネクタ構成体を構成する２つのハウジングの両方から電線が導出されるようになっているが、本発明は、一方のハウジングからは電線が導出されるが、他方のハウジングはジョイントターミナルを備えていて電線を導出させないハウジングである場合にも適用できる。
（７）上記実施形態では、コネクタ構成体が第１と第２の２つのハウジングによって構成されているが、本発明は、コネクタ構成体を構成するハウジングの数が１つである場合にも適用できる。
【符号の説明】
【００３３】
１０…コネクタ構成体（他部材）
１１…第１のハウジング
１２…第２のハウジング
１５…フード部
１６…電線
１７Ｆ…第１連結用嵌合部
１７Ｒ…第２連結用嵌合部
３０…電線カバー
３１…カバー本体
３２…補助部材
３４…収容空間
４０Ｆ…第１組付用嵌合部
４０Ｒ…第２組付用嵌合部
【図１】
2013069593.tif 000003
【図２】
2013069593.tif 000004
【図３】
2013069593.tif 000005
【図４】
2013069593.tif 000006
【図５】
2013069593.tif 000007
【図６】
2013069593.tif 000008
【図７】
2013069593.tif 000009
【図８】
2013069593.tif 000010
【図９】
2013069593.tif 000011
【図１０】
2013069593.tif 000012
【図１１】
2013069593.tif 000013
【図１２】
2013069593.tif 000014
【図１３】
2013069593.tif 000015
【図１４】
2013069593.tif 000016
【図１５】
2013069593.tif 000017
【図１６】
2013069593.tif 000018